(57)【特許請求の範囲】
【請求項１】
ベースと、
前記ベース上に設けられ、前記ベースに対して上下移動することができる本体と、
前記本体を所望の状態に上下移動するように操作することができるように、前記ベースと前記本体との間の前記ベース上に取り付けられた昇降支持手段とを、備え、
前記本体は、頭及び首部をそれぞれ支持するように人の丈方向である第１方向に沿って並ぶ剛性材質からなるヘッド支持部及びネック支持部を有し、
前記昇降支持手段は、前記ヘッド支持部又は前記ネック支持部に応じて前記ヘッド支持部又は前記ネック支持部を上下移動するように操作できて前記ヘッド支持部と前記ネック支持部と所望の状態にする段差を形成し、
前記昇降支持手段は、前記ヘッド支持部及び前記ネック支持部が所望の状態にする段差を形成するようにそれぞれ支持する少なくとも１つの第１の昇降支持部材を備え、
前記第１の昇降支持部材は、前記第１方向と直角の第２方向に沿って互いに対向するように前記本体に設けられ、且つ対応する前記ヘッド支持部又は前記ネック支持部の横側に配置された２つの第１の支持座と、前記ヘッド支持部又は前記ネック支持部を上下違う高さ位置に係止支持するように前記ヘッド支持部又は前記ネック支持部の下に設けられ前記第１の支持座に着脱自在に係止される第１の係止部材と、を備え、
前記ベースには、前記第１の昇降支持部材に応じて少なくとも１つの第１の開口部を設け、
前記第１の係止部材は、前記第１の開口部の上に配置され、
前記第１の昇降支持部材は、前記ベースに対して上下移動可能にすると共に前記ヘッド支持部及び前記ネック支持部の底部に固定する第１の取付板を更に有し、
前記第１の係止部材は、前記第１の開口部に対応して前記ベース及び前記第１の取付板の間に配置され、前記ヘッド支持部又は前記ネック支持部及び対応する前記第１の取付板を上下違う高さ位置に支持すると共に前記第１の支持座に着脱自在に係止されるようになっている
ことを特徴とする枕。
【請求項２】
前記対向する２つの第１の支持座の対向面は、切り欠いて前記第１の係止部材が着脱自在に係合される複数の第１の係止溝が設けられ、
前記第１の係止部材は、それぞれの一側部が前記第１の係止溝に受け入れられる２つの第１の係止片と、弾性的に拡張・圧縮することができるよう前記第１の係止片の前記第１の係止溝への係脱をすることができるように前記２つの第１の係止片の他側部と連結しながら前記２つの第１の係止片の間に設けられた第１の弾性部材とを備えることを特徴とする請求項１に記載の枕。
【請求項３】
前記ベースは、前記第１の取付板を貫通して前記第１の取付板が前記ベースに対して上下移動するように案内する複数の第１のガイド柱が設けられることを特徴とする請求項１に記載の枕。
【請求項４】
前記本体はさらに、前記ヘッド支持部及び前記ネック支持部の両側に前記ヘッド支持部及び前記ネック支持部を挟持するように前記第２方向に沿って対向して設けられる剛性材質からなる２つのサイド支持部を備え、
前記２つのサイド支持部は、前記ヘッド支持部及び前記ネック支持部より高いことを特徴とする請求項１に記載の枕。
【請求項５】
前記サイド支持部は、前記ネック支持部と間を隔てて設けられ、
前記本体はさらに、弾力を付与するように湾曲形状をして、一端部が前記ネック支持部に固定され、他端部が前記サイド支持部に進退可能に差し込まれ、前記ネック支持部から対応する前記サイド支持部それぞれに掛けて跨がる２つのガイド部材を備えることを特徴とする請求項４に記載の枕。
【請求項６】
前記昇降支持手段はさらに、前記２つのサイド支持部をそれぞれ上下移動することができるように支持する２つの第２の昇降支持部材を備えることを特徴とする請求項４に記載の枕。
【請求項７】
前記ベースは、前記第２の昇降支持部材に対応して２つの第２の開口部が形成され、
前記第２の昇降支持部材は、
前記ベースに対して上下移動可能にすると共に前記サイド支持部の底部に固定する第２の取付板と、
前記第１方向に沿って互いに対向するように前記第２の取付板の両側に設けられた２つの第２の支持座と、
前記第２の開口部に対応して前記ベース及び前記第２の取付板の間に配置され、前記サイド支持部及び対応する前記第２の取付板を上下違う高さ位置に移動するように支持すると共に前記第２の支持座に着脱自在に係止される第２の係止部材と、を備えることを特徴とする請求項６に記載の枕。
【請求項８】
前記対向する第２の支持座の対向面は、切り欠いて前記第２の係止部材が着脱自在に係合される複数の第２の係止溝が設けられ、
前記第２の係止部材は、それぞれの一側部が前記第２の係止溝に受け入れられる２つの第２の係止片と、弾性的に拡張・圧縮することができるよう前記第２の係止片の前記第２の係止溝への係脱をすることができるように前記２つの第２の係止片の他側部と連結しながら前記２つの第２の係止片の間に設けられた第２の弾性部材とを備えることを特徴とする請求項７に記載の枕。
【請求項９】
前記ベースは、前記第２の取付板を貫通して前記第２の取付板が前記ベースに対して上下移動するように案内する複数の第２のガイド柱が設けられることを特徴とする請求項７に記載の枕。
【請求項１０】
さらに、前記本体及び前記ベースを覆うクッションカバーを備えることを特徴とする請求項１に記載の枕。
【発明の詳細な説明】
【技術分野】
【０００１】
本発明は、枕に関し、より詳しくは、枕本体の高度を調整することができる枕に関する。
【背景技術】
【０００２】
枕は、寝るときに頭や首を支えそれらの間にできる空間を埋め、肩から上部を自然な形に支えて楽に休める役目をする。身体の自然な形とは、まっすぐ立っている時の背骨が、ゆるやかなＳ字型を描いており、睡眠中も、この姿勢を保つことが理想といわれている。身体が仰向きのとき頚椎（脊椎の上部７個を頚椎という）が、自然の湾曲に逆らわず首から後頭部をバランスよく繋ぎ、横向きのとき頚椎は身体の丈方向にまっすぐ伸びた状態で首と側頭部を支えるのが理想とされている。
【０００３】
そこで、寝るときに頭や首をバランスよく上記のような望ましい状態にする枕が知られている。例えば図１に示すように、枕本体内に液体が入っている複数の区画１１、１１、・・・が形成されており、区画１１、１１、・・・内に首や頭を支持するようにエアバッグ１２、１２・・・が設けられ、仰向きや横向きのとき首や頭に対応する区画１１を押圧して気体や液体の流動により枕本体の高さを変えて寝る姿勢に応じることができる枕１がある（特許文献１参照）。さらに、例えば図２に示すように、複数の弾力性のある材質からなるベース部材２１、２１の上に前側が高い首支持部２２１、後ろ側が低い頭支持部２２２を設けた枕本体２２に形成してなり、ベース部材２１の数を加減して枕本体２２の高さを調整することができる枕２が提案されている。（特許文献２参照。）
【先行技術文献】
【特許文献】
【０００４】
【特許文献１】台湾専利公報第Ｉ288623号
【特許文献２】台湾専利公報第390173号
【発明の概要】
【発明が解決しようとする課題】
【０００５】
特許文献１の枕１では、出荷する前にエアバッグの空気量を加減することによってとりどりの枕の硬さおよび厚みのものを揃え、客の好みに合せて選ばせなければならない問題点がある。
【０００６】
特許文献２の枕２では、ベース部材２１の加減により横向きか仰向きのいずれかの姿勢に応じて枕の高さを調整することができるが、両方の姿勢に同時に対応することができない欠点がある。
【０００７】
本発明は、上記問題点を解消すべくなされたものであり、枕の高さを簡単に調整し、体の向きに応じた自然な形に支えることができ、快眠効果が向上する枕を提供することを目的とする。
【課題を解決するための手段】
【０００８】
上記目的を達成するために、本発明は、ベースと、前記ベース上に設けられ、前記ベースに対して上下移動することができる本体と、前記本体を所望の状態に上下移動するように操作することができるように、前記ベースと前記本体との間の前記ベース上に取り付けられた昇降支持手段とを備え、前記本体は、頭及び首部をそれぞれ支持するように人の丈方向である第１方向に沿って並ぶ剛性材質からなるヘッド支持部及びネック支持部を有し、前記昇降支持手段は、前記ヘッド支持部又は前記ネック支持部に応じて前記ヘッド支持部又は前記ネック支持部を上下移動するように操作できて前記ヘッド支持部と前記ネック支持部と所望の状態にする段差を形成し、前記昇降支持手段は、前記ヘッド支持部及び前記ネック支持部が所望の状態にする段差を形成するようにそれぞれ支持する少なくとも１つの第１の昇降支持部材を備え、前記第１の昇降支持部材は、前記第１方向と直角の第２方向に沿って互いに対向するように前記本体に設けられ、且つ対応する前記ヘッド支持部又は前記ネック支持部の横側に配置された２つの第１の支持座と、前記ヘッド支持部又は前記ネック支持部を上下違う高さ位置に係止支持するように前記ヘッド支持部又は前記ネック支持部の下に設けられ前記第１の支持座に着脱自在に係止される第１の係止部材と、を備え、
前記ベースには、前記第１の昇降支持部材に応じて少なくとも１つの第１の開口部を設け、
前記第１の係止部材は、前記第１の開口部の上に配置され、
前記第１の昇降支持部材は、前記ベースに対して上下移動可能にすると共に前記ヘッド支持部及び前記ネック支持部の底部に固定する第１の取付板を更に有し、
前記第１の係止部材は、前記第１の開口部に対応して前記ベース及び前記第１の取付板の間に配置され、前記ヘッド支持部又は前記ネック支持部及び対応する前記第１の取付板を上下違う高さ位置に支持すると共に前記第１の支持座に着脱自在に係止されるようになっていることを特徴とする枕を提供する。
【００１２】
前記枕において、前記対向する２つの第１の支持座の対向面は、切り欠いて前記第１の係止部材が着脱自在に係合される複数の第１の係止溝が設けられ、前記第１の係止部材は、それぞれの一側部が前記第１の係止溝に受け入れられる２つの第１の係止片と、弾性的に拡張・圧縮することができるよう前記第１の係止片の前記第１の係止溝への係脱をすることができるように前記２つの第１の係止片の他側部と連結しながら前記２つの第１の係止片の間に設けられた第１の弾性部材とを備えることが好ましい。
【００１３】
前記枕において、前記ベースは、前記第１の取付板を貫通して前記第１の取付板が前記ベースに対して上下移動するように案内する複数の第１のガイド柱が設けられることが好ましい。
【００１４】
前記枕において、前記本体はさらに、前記ヘッド支持部及び前記ネック支持部の両側に前記ヘッド支持部及び前記ネック支持部を挟持するように前記第２方向に沿って対向して設けられる剛性材質からなる２つのサイド支持部を備え、前記２つのサイド支持部は、前記ヘッド支持部及び前記ネック支持部より高いことが好ましい。
【００１５】
前記枕において、前記サイド支持部は、前記ネック支持部と間を隔てて設けられ、前記本体はさらに、弾力を付与するように湾曲形状をして、一端部が前記ネック支持部に固定され、他端部が前記サイド支持部に進退可能に差し込まれ、前記ネック支持部から対応する前記サイド支持部それぞれに掛けて跨がる２つのガイド部材を備えることが好ましい。
【００１６】
前記枕において、前記昇降支持手段はさらに、前記２つのサイド支持部をそれぞれ上下移動することができるように支持する２つの第２の昇降支持部材を備えることが好ましい。
【００１７】
前記枕において、前記ベースは、前記第２の昇降支持部材に対応して２つの第２の開口部が形成され、前記第２の昇降支持部材は、前記ベースに対して上下移動可能にすると共に前記サイド支持部の底部に固定する第２の取付板と、前記第１方向に沿って互いに対向するように前記第２の取付板の両側に設けられた２つの第２の支持座と、前記第２の開口部に対応して前記ベース及び前記第２の取付板の間に配置され、前記サイド支持部及び対応する前記第２の取付板を上下違う高さ位置に移動するように支持すると共に前記第２の支持座に着脱自在に係止されることができる第２の係止部材と、を備えることが好ましい。
【００１８】
前記枕において、前記対向する第２の支持座の対向面は、切り欠いて前記第２の係止部材が着脱自在に係合される複数の第２の係止溝が設けられ、前記第２の係止部材は、それぞれの一側部が前記第２の係止溝に受け入れられる２つの第２の係止片と、弾性的に拡張・圧縮することができるよう前記第２の係止片の前記第２の係止溝への係脱をすることができるように前記２つの第２の係止片の他側部と連結しながら前記２つの第２の係止片の間に設けられた第２の弾性部材とを備えることが好ましい。
【００１９】
前記枕において、前記ベースは、前記第２の取付板を貫通して前記第２の取付板が前記ベースに対して上下移動するように案内する複数の第２のガイド柱が設けられることが好ましい。
【００２０】
前記枕において、さらに、前記本体及び前記ベースを覆うクッションカバーを備えることが好ましい。
【発明の効果】
【００２１】
本発明の枕は、本体のヘッド支持部や、ネック支持部、サイド支持部に応じて互いに独立して操作することができる昇降支持手段が設けられているので、個人的に横向きか仰むきのいずれかの姿勢に応じて枕の高さを調整することができ、使用勝手がよく、所望の状態にすることもできる。したがって、枕の高さを簡単に調整し、体の向きに応じた自然な形に支えることができ、快眠効果が得られる。
【図面の簡単な説明】
【００２２】
【図１】従来の枕の使用状態を概略示す垂直断面図である。
【図２】他の従来の枕の構造を概略示す斜視図である。
【図３】本発明の一実施形態にかかる枕の構造を概略示す組立斜視図である。
【図４】図３の枕にクッションカバーを使用した構造を概略示す組立斜視図である。
【図５】図４の枕の分解斜視図である。
【図６】図４のVI−VI線に沿った垂直断面図である。
【図７】図４のVII−VII線に沿った垂直断面図である。
【図８】昇降支持手段による本体のネック支持部の移動を概略示す垂直断面図である。
【図９】本発明の枕の他の使用状態を概略示す側面図である。
【図１０】図４のX−X線に沿った垂直断面図である。
【図１１】昇降支持手段による本体のサイド支持部の移動を概略示す垂直断面図である。
【発明を実施するための形態】
【００２３】
他の本発明の特徴および効果は、添付の図面に関して以下の好ましい実施例の詳細な説明において明らかになる。
【実施例】
【００２４】
図３は、本発明の一実施形態にかかる枕の構造を概略示す組立斜視図である。図４は、図３の枕にクッションカバー６を使用した構造を概略示す組立斜視図である。図５は、図４の枕の分解斜視図である。図６は、図４のVI−VI線に沿った垂直断面図である。図７は、図４のVII−VII線に沿った垂直断面図である。図８は、昇降支持手段による本体のネック支持部の移動を概略示す垂直断面図である。図９は、本発明の枕の他の使用状態を概略示す側面図である。図１０は、図４のX−X線に沿った垂直断面図である。図１１は、昇降支持手段による本体のサイド支持部の移動を概略示す垂直断面図である。
【００２５】
図３〜５に示すように、本発明にかかる枕は、ベース３と、ベース３の上に搭載した本体４と、本体４を支持して違う高さ位置に移動するように操作する昇降支持手段５とからなり、クッションカバー６を用いて枕を覆うことによって人の首、頭を快適に載せることができる。
【００２６】
ベース３は、長方形をなし、例えばベッドなどの水平面１００（図６に示す）に配置される。図５に示されるように、ベース３は、人の丈方向である第１方向Ｘに沿って並ぶ２つの第１の開口部３１、３１を形成し、第１方向Ｘと直角且つ同一平面の第２方向Ｙに沿って第１の開口部３１、３１を間において対向する第２の開口部３１Ａ、３１Ａを形成している。ベース３の第１の開口部３１、３１及び第２の開口部３１Ａ、３１Ａの両側に、第１方向Ｘ及び第２方向Ｙに垂直する第３方向Ｚに沿って本体４側に延伸する複数の第１のガイド柱３２、３２・・・、複数の第２のガイド柱３２Ａ、３２Ａ、・・・が設けられている。
【００２７】
本体４は、ベース３に対して垂直に上下移動可能にベース３の上に搭載している。図５に示されるように、本体４は、剛性材質からなり、第１方向Ｘに沿って並ぶヘッド支持部４１とネック支持部４２と、第２方向Ｙに沿ってヘッド支持部４１とネック支持部４２の両側に配置される２つのサイド支持部４３を備えている。図３、図６などの各図に示すように、水平面１００において人の仰むきのとき頚椎の自然の湾曲に逆らわない望ましい状態で首から後頭部をバランスよく支えるようにネック支持部４２はヘッド支持部４１よりも高く形成され、また横向きのとき頚椎が身体の丈方向にまっすぐ伸びた所望の状態で首と側頭部をバランスよく支持するように、２つのサイド支持部４３はヘッド支持部４１又はネック支持部４２より高く形成されている。
【００２８】
２つのサイド支持部４３は、例えば図３、図７に示されているように、ヘッド支持部４１又はネック支持部４２から離れて間隔を隔てて配置されている。ネック支持部４２の両側面及び２つのサイド支持部４３、４３の対向する一側面に互いに対応する複数の通孔４２０、４２０、・・・、４３１、４３１、・・・が形成され、本体４はさらに、弾力を付与するように複数のリブから柵状になり一端部４４１がネック支持部４２に差し込んで固定され、他端部４４２がサイド支持部４３に進退可能に差し込まれるように湾曲形状をし、ネック支持部４２から対応するサイド支持部４３、４３にそれぞれ渡り掛ける２つのガイド部材４４、４４を備え、ガイド部材４４、４４におけるネック支持部４２とサイド支持部４３との間隔に渡る部分４４３は、図５に示すようにやや凹状に湾曲する形状をする。ガイド部材４４、４４を用いてネック支持部４２と対応するサイド支持部４３との間隔をわたってネック支持部４２から対応するサイド支持部４３、４３に渡り掛けているので、体の寝る姿勢に応じて人の首が支障なくネック支持部４２からサイド支持部４３に移動することができる。なお、通気性及び軽量化するために、ヘッド支持部４１、ネック支持部４２、サイド支持部４３には通孔が複数設けられている。
【００２９】
昇降支持手段５は、本体３のヘッド支持部４１、ネック支持部４２、サイド支持部４３を所望の状態に上下違う高さ位置に移動するように操作することができるように、ベース３と本体４との間にベース３上に取り付けられている。昇降支持手段５は、ヘッド支持部４１、ネック支持部４２、サイド支持部４３が所望の状態にする段差を形成するように昇降操作するために、ヘッド支持部４１、ネック支持部４２、サイド支持部４３に応じて設けられる第１の昇降支持部材５０と、第２の昇降支持部材５０Ａとをそなえている。
【００３０】
前記第１の昇降支持部材５０は、ベース３に対して上下移動可能にすると共にヘッド支持部４１及びネック支持部４２の底部に固定する第１の取付板５１、５１と、第１方向Ｘと直角且つ同一平面の第２方向Ｙに沿って互いに対向するように取付板５１、５１の両側にてベース３上に設けられた２つの第１の支持座５２、５２と、第１の開口部３１、３１に対応してベース３及び第１の取付板５１、５１の間に配置され、ヘッド支持部４１、ネック支持部４２及び対応する第１の取付板５１を上下違う高さ位置に移動するように支持すると共に前記第１の支持座５２に着脱自在に係止される第１の係止部材５３、５３と、を備えている。
【００３１】
第２の昇降支持部材５０Ａは、ベース３に対して上下違う高さ位置にすると共に例えば図１１に示すようにボルト止めなどによりサイド支持部４３、４３の底部に固定する第２の取付板５１Ａ、５１Ａと、第１方向Ｘに沿って互いに対向するように第２の取付板５１Ａ、５１Ａの両側に設けられた２つの第２の支持座５２Ａ、５２Ａと、第２の開口部３１Ａ、３１Ａに応じてベース３及び第２の取付板５１Ａ、５１Ａの間に配置され、サイド支持部４３、４３及び対応する第２の取付板５１Ａ、５１Ａを上下違う高さ位置に移動するように支持すると共に第２の支持座５２Ａ、５２Ａに着脱自在に係止される第２の係止部材５３Ａ、５３Ａと、を備えている。
【００３２】
なお、第１の昇降支持部材５０、第２の昇降支持部材５０Ａは、ヘッド支持部４１、ネック支持部４２、サイド支持部４３、４３の大きさに応じてサイズは異なるが、構成、機能などは類似するので、重複な説明を省略する。
【００３３】
対向する２つの第１の支持座５２、５２の対向面は、切り欠いて第１の係止部材５３が着脱自在に連結される複数の第１の係止溝５２１、５２１、・・・が設けられている。なお、支持座５２は、例えば垂直する貫通孔が設けられ、ベース３に設けられたロッドによりベース３に固定されている。第１の係止部材５３は、それぞれの一側部が第１の係止溝５２１に受け入れられる２つの第１の係止片５３１、５３１と、第１の係止片５３１、５３１の第１の係止溝５２１、５２１への係脱をすることができるように例えば長方形をした２つの第１の係止片５３１、５３１の他側部と連結しながら２つの第１の係止片５３１、５３１の間に設けられた第１の弾性部材５３２とを備えている。第１の弾性部材５３２は、弾性的に拡張・圧縮することができるよう２つ折りしてほぼＶの字形をし、係止片５３１は、係止溝５２１に受け入れられるように一側部５３１ａからつばが突出て、他側部５３１ｂが折り曲げて弾性部材５３２の対応脚部を押さえて連結され、また、係止片５３１には、長手方向に沿って延伸するスロット５３１ｃが形成されている。
【００３４】
取付板５１は、係止片５３１のスロット５３１ｃにて受け入れられて左右に滑り移動する突起５１３が形成され、取付板５１の周りにベース３のガイド柱３２、３２、・・・が受け入れられるように貫通孔５１１、５１１、・・・及び係止片５３１の一側部のつばが出入りすることができる切欠き５１２が設けられている。同様にして、第２の昇降支持部材５０Ａの取付板５１Ａ、５１Ａの周りにベース３のガイド柱３２Ａ、３２Ａ、・・・が受け入れられるように貫通孔５１１Ａ、５１１Ａが設けられている。このようにして、手動で開口部３１（３１Ａ）を通じて弾性部材５３（５３Ａ）を操作するとき対応する取付板５１（５１Ａ）が安定に昇降することができる。
【００３５】
クッションカバー６は、図５に示すように本体４を覆う第１のカバー６１、第２のカバー６２と、ベース３を囲んで被覆する第３のカバー６３からなる。
【００３６】
次に、本発明の枕の高度調整の操作について説明する。
図６に示すように、例えば仰むきのとき、首がネック支持部４２とカバー６３からの隙間があり、ネック支持部４２を高くしたいとき、図７に示すようにベース３の開口部３１を通じて指で弾性部材５３２のばね性に抗して対向する係止片５３１、５３１の折り曲げた他側部５３１ｂ、５３１ｂを近寄らせて、係止片５３１の一側部５３１ａ、５３１ａのつばが支持座５２、５２の対応する係止溝５２１、５２１から脱離し、取付板５１を所望の高度になるように上げる。ネック支持部４２が所望の高度になると、図８に示すように、係止片５３１の一側部５３１ａ、５３１ａのつばが支持座５２、５２の対応する係止溝５２１、５２１に受け入れられながら対向する係止片５３１、５３１の折り曲げた他側部５３１ｂ、５３１ｂから指を離す。結果、ネック支持部４２を上下違う高さ位置に簡単に移すことができる。ヘッド支持部４１についても、同様の操作によりヘッド支持部４１を上下違う高さ位置にすることができる。
【００３７】
図９〜１１に示されるように、サイド支持部４３の高度を調整したいとき、前記操作と同様にベース３の開口部３１Ａを通じて指で弾性部材５３２Ａのばね性に抗して対向する係止片５３１Ａ、５３１Ａの折り曲げた他側部５３１ｂ、５３１ｂを近寄らせて、係止片５３１の一側部５３１ａ、５３１ａのつばが支持座５２Ａ、５２Ａの対応する係止溝５２１Ａ、５２１Ａから脱離し、取付板５１Ａを所望の高度になるように上げる。サイド支持部４３が所望の高度になると、係止片５３１Ａの一側部５３１ａ、５３１ａのつばが支持座５２Ａ、５２Ａの対応する係止溝５２１Ａ、５２１Ａに受け入れられながら対向する係止片５３１Ａ、５３１Ａの折り曲げた他側部５３１ｂ、５３１ｂから指を離す。結果、サイド支持部４３を上下違う高さに簡単に変えることができる。
【００３８】
以上のように、本発明の枕は、ヘッド支持部４１、ネック支持部４２、サイド支持部４３に応じて昇降支持部材５０、５０Ａを設けているので、ヘッド支持部４１、ネック支持部４２、サイド支持部４３は互いに干渉せずに安定に昇降することができる。また、本発明の枕によれば、個人に応じてヘッド支持部４１、ネック支持部４２、サイド支持部４３の高度を変えることができる。その結果、個人差によらず身体の向きに応じた自然な形に支えるように首や頭をバランスよく支持し、快眠効果が向上することができる枕が得られる。
【符号の説明】
【００３９】
１００  水平面
３  ベース
３１、３１Ａ  開口部
３２、３２Ａ  ガイド柱
４  本体
４１  ヘッド支持部
４２  ネック支持部
４２０、４３１  通孔
４３  サイド支持部
４４  ガイド部材
４４１、４４２  端部
４４３  掛け渡る部分
５  昇降支持手段
５０、５０Ａ  昇降支持部材
５１、５１Ａ  取付板
５１１  貫通孔
５１２  切欠き
５１３  突起
５２、５２Ａ  支持座
５２１、５２１Ａ  係止溝
５３、５３Ａ  係止部材
５３１、５３１Ａ  係止片
５３１ａ、５３１ｂ  係止片の側部
５３１ｃ  スロット
５３２、５３２Ａ  弾性部材
６  クッションカバー
６１、６２、６３  カバー
Ｘ、Ｙ、Ｚ  方向
【図１】
0005005729.tif 000002
【図２】
0005005729.tif 000003
【図３】
0005005729.tif 000004
【図４】
0005005729.tif 000005
【図５】
0005005729.tif 000006
【図６】
0005005729.tif 000007
【図７】
0005005729.tif 000008
【図８】
0005005729.tif 000009
【図９】
0005005729.tif 000010
【図１０】
0005005729.tif 000011
【図１１】
0005005729.tif 000012